(57)【要約】【課題】多数の設定項目を有する電子機器の設定作業の省力化を可能にする。【解決手段】本発明の一態様に係る機能設定システムは、制御部１１、設定検索部１３、設定データベース２１を備える。設定データベース２１は、複数の機能を有する端末装置１と接続され、当該端末装置１の機能それぞれの設定項目からなる設定パターンを保存する。設定検索部１３は、端末装置１から入力された一部の設定項目に基づいて、設定データベース２１に保存された設定パターンから当該一部の設定項目が一致する設定パターンを検索する。制御部１１は、検索された設定パターンのうち、入力された一部の設定項目の残りの設定項目を端末装置１に自動設定する。【選択図】図１
2010198395.tif 000002
【特許請求の範囲】
【請求項１】
複数の機能を有する電子機器と接続され、当該電子機器における複数の機能それぞれの設定項目からなる設定パターンを保存する設定データベースと、
前記電子機器から入力された一部の設定項目に基づいて、前記設定データベースに保存された設定パターンから、当該一部の設定項目が一致する設定パターンを検索する設定検索部と、
前記設定検索部により検索された設定パターンのうち、入力された一部の設定項目の残りの設定項目を前記電子機器に自動設定する制御部と、
を備える機能設定システム。
【請求項２】
前記設定検索部で検索された設定パターンが複数ある場合、これらの複数の設定パターンの使用頻度を比較する比較部をさらに備える請求項１に記載の機能設定システム。
【請求項３】
前記比較部は、前記設定検索部で検索された複数の設定パターンのうち最も使用頻度の高い設定パターンの使用頻度の比率が所定の値以上であるか否かを判断する請求項２に記載の機能設定システム。
【請求項４】
前記電子機器は、前記自動設定後に設定済みの設定パターンを前記設定データベースに送信し、
前記設定データベースは、保存された設定パターンの使用頻度を更新することを特徴とする請求項２又は３に記載の機能設定システム。
【請求項５】
前記電子機器は、新たに設定された設定パターンを設定データベースに送信し、
前記設定データベースは、当該設定パターンを新たに蓄積することを特徴とする請求項１に記載の機能設定システム。
【請求項６】
前記設定データベースは、前記設定項目に応じて複数備えられることを特徴とする請求項１〜５のいずれか１項に記載の機能設定システム。
【請求項７】
前記設定データベースは、複数の前記電子機器に対して共有されることを特徴とする請求項１〜６のいずれか１項に記載の機能設定システム。
【請求項８】
複数の機能を有する電子機器における複数の機能それぞれの設定項目からなる設定パターンを設定データベースに保存し、
前記電子機器から入力された一部の設定項目に基づいて、前記設定データベースに保存された設定パターンから、当該一部の設定項目が一致する設定パターンを検索し、
検索された設定パターンのうち、入力された一部の設定項目の残りの設定項目を前記電子機器に自動設定する機能設定方法。
【請求項９】
検索された設定パターンが複数ある場合、これらの複数の設定パターンの使用頻度を比較することを特徴とする請求項８に記載の機能設定方法。
【請求項１０】
検索された複数の設定パターンのうち最も使用頻度の高い設定パターンの使用頻度の比率が所定の値以上であるか否かを判断する請求項９に記載の機能設定方法。
【請求項１１】
前記電子機器は、前記自動設定後に設定済みの設定パターンを前記設定データベースに送信し、
前記設定データベースは、保存された設定パターンの使用頻度を更新することを特徴とする請求項９又は１０に記載の機能設定方法。
【請求項１２】
前記電子機器は、新たに設定された設定パターンを設定データベースに送信し、
前記設定データベースは、当該設定パターンを新たに蓄積することを特徴とする請求項８に記載の機能設定方法。
【発明の詳細な説明】
【技術分野】
【０００１】
本発明は、多数の機能を有する電子機器の機能設定システム及び設定方法に関する。
【背景技術】
【０００２】
近年、携帯電話などの電子機器は多機能化し、ますます複雑化している。このため、多数の機能を設定する必要性が生じている。機能設定の方法としては、あらかじめ出荷時に初期設定が行われており、ユーザごとに異なる部分についてはメニュー画面から設定していくのが一般的である。
【０００３】
設定項目が少ない場合はそれほど問題にはならないが、多数の項目を設定しなければならない場合はこの操作の繰返しは労力が大きい。また、自分の好みに設定を変更したくても、多くの項目を変更しなければならないとなると、躊躇してしまうことも多い。
【０００４】
特許文献１では、機能設定を簡単にすることを目的として、ユーザの選択や機器の能力に応じた機能設定プログラムをインストールする方法が示されている。特許文献１に示された方法を用いると、使用者に応じたプログラムを使用することが可能になる。これにより、詳細な設定を必要としない場合には設定項目を少なくしたり、同種の機器を複数持っている場合には一度の設定作業で全ての機器に設定を適用できるようになる。
【先行技術文献】
【特許文献】
【０００５】
【特許文献１】特開２００６−２０２９８号公報
【発明の概要】
【発明が解決しようとする課題】
【０００６】
しかし、特許文献１に記載の方法では、設定プログラムの生成、インストールが必要となる。個々の端末への設定作業は簡易化されるが、設定を行うための情報を最低一度は入力しなければならないという問題は解決されていない。
【０００７】
本発明は、このような事情を背景としてなされたものであり、本発明の目的は多数の設定項目を有する電子機器の設定作業の省力化を可能にする設定方法を提供することである。
【課題を解決するための手段】
【０００８】
本発明の一態様に係る機能設定システムは、複数の機能を有する電子機器と接続され、当該電子機器における複数の機能それぞれの設定項目からなる設定パターンを保存する設定データベースと、前記電子機器から入力された一部の設定項目に基づいて、前記設定データベースに保存された設定パターンから、当該一部の設定項目が一致する設定パターンを検索する設定検索部と、前記設定検索部により検索された設定パターンのうち、入力された一部の設定項目の残りの設定項目を前記電子機器に自動設定する制御部とを備えるものである。
【０００９】
本発明の他の態様に係る機能設定方法は、複数の機能を有する電子機器における複数の機能それぞれの設定項目からなる設定パターンを設定データベースに保存し、前記電子機器から入力された一部の設定項目に基づいて、前記設定データベースに保存された設定パターンから、当該一部の設定項目が一致する設定パターンを検索し、検索された設定パターンのうち、入力された一部の設定項目の残りの設定項目を前記電子機器に自動設定する。
【発明の効果】
【００１０】
本発明によれば、多数の設定項目を有する電子機器の設定作業の省力化を可能にする設定方法を提供することができる。
【図面の簡単な説明】
【００１１】
【図１】実施の形態１に係る電子機器の機能設定システムの基本的な構成を示すブロック図である。
【図２】実施の形態１に係る電子機器の機能設定システムの構成を示すブロック図である。
【図３】設定データベースに格納される設定パターンの一例を示す図である。
【図４】実施の形態１に係る電子機器の設定方法を説明するためのフロー図である。
【図５】実施の形態１に係る電子機器の設定方法を説明するための図である。
【図６】設定データベースに格納される設定パターンが更新された例を示す図である。
【図７】実施の形態２に係る電子機器の機能設定システムの構成を示すブロック図である。
【図８】実施の形態３に係る電子機器の機能設定システムの構成を示すブロック図である。
【発明を実施するための形態】
【００１２】
実施の形態１．
本発明の実施の形態１に係る電子機器の機能設定システムについて図１を参照して説明する。図１は、本実施の形態に係る電子機器の機能設定システムの構成を示すブロック図である。ここでは、電子機器の一例として携帯電話等の端末装置の機能設定システムについて説明する。図１に示すように、本実施の形態に係る機能設定システムは、端末装置１、設定データベース２１を備える。端末装置１には、制御部１１、設定検索部１３が設けられている。
【００１３】
端末装置１は、多数の機能を有している。このように多数の設定項目があっても、すべてのユーザがばらばらな設定をするということはなく、ある程度の傾向が見られることが多い。多数の設定項目のうち多くの項目が一致する場合、その他の項目も一致する可能性が高いと考えられる。
【００１４】
本発明は、このような知見をもとになされたものである。本発明に係る機能設定システムは、ユーザが途中まで入力した設定と似た設定例を絞り込み検索することにより、残りの設定項目を自動設定するものである。
【００１５】
設定データベース２１は、端末装置１と通信網を介して接続されている。設定データベース２１は、設定パターンを保存するデータベースである。このデータベースには少なくとも、端末装置１における複数の機能それぞれの設定項目からなる設定内容と使用頻度を含む設定パターンが保存されている。
【００１６】
設定検索部１３は、入力された一部の設定項目に基づいて、設定データベース２１に保存された設定パターンから、当該一部の設定項目が一致する設定パターンを検索する。制御部１１は、設定検索部１３により検索された設定パターンのうち、入力された一部の設定項目の残りの設定項目を前記電子機器に自動設定する。
【００１７】
ここで、図１に示す機能設定システムの詳細な構成について、図２を参照して説明する。図２に示すように、端末装置１は、制御部１１、入力部１２、設定検索部１３、比較部１４、設定記憶部１５を備えている。
【００１８】
制御部１１は、端末装置１の動作を制御し、設定モードにおいて入力部１２からの入力に応じて設定検索部１３へ設定パターン検索を要求する。また、制御部１１は、比較部１４から設定パターンの比較結果を受け取ると、自動設定を行う。設定が変更されると、制御部１１は設定記憶部１５へ設定パターンの記録を要求する。
【００１９】
入力部１２は、キー入力などの方法により、表示された操作画面における操作を制御部１１へ伝える。設定検索部１３は、制御部１１から受け取った部分的な設定項目を鍵にして、設定サーバ２へ設定検索要求を出す。設定検索部１３は、入力部１２から入力された一部の設定項目に基づいて、設定データベースに保存された設定パターンから、当該一部の設定項目が一致する設定パターンを検索する。また、設定検索部１３は、検索結果として設定パターンを受け取り比較部１４へ送る。
【００２０】
設定検索部１３が検索した設定パターンが複数ある場合、比較部１４は、設定検索部１３から受け取ったパターンの使用頻度の比較を行う。例えば、比較部１４は、最も使用頻度の高い設定パターンの比率が、所定の値を超えているかどうかの判断を行う。設定記憶部１５は、制御部１１から設定データを受け取り記録する。設定が変更されると、設定記憶部１５は設定サーバ２へ設定結果をフィードバックする。
【００２１】
設定サーバ２は、通信網を介して端末装置１と接続されている。設定サーバ２は、設定データベース２１を有している。設定サーバ２は、端末装置１からの要求に応じて設定パターンを返すとともに、更新を受け付ける。
【００２２】
図３に、設定パターンの例を示す。設定パターンの記述方式には、様々な方法が考えられる。図３に示した例では、設定パターンは、択一式の設定項目をそれぞれ数値として表し、項目順に並べた数列で表現されている。なお、設定項目が自由記述式の場合には、正規表現を用いて集約したり、使用頻度の比率計算の対象外にするなど、個別の取り扱いを必要とする場合もある。
【００２３】
ここで、図４を参照して設定モードにおける電子機器の設定方法について説明する。図３は、電子機器の設定方法を説明するためのフロー図である。図４に示すように、設定モードに移行すると、まず設定検索部１３は、設定データベース２１に保存された設定パターンのキャッシュを取得する（ステップＳ１１）。
【００２４】
入力部１２から設定項目に対するキー入力が行われると（ステップＳ１２）、制御部１１は設定検索部１３へ、入力された設定内容に一致する設定パターンを検索するように要求する。設定検索部１３は、入力された設定内容に一致する設定パターンの絞り込み検索を行う（ステップＳ１３）。
【００２５】
そして、設定検索部１３は検索した設定内容に一致する設定パターンが複数ある場合には、それらの設定パターンのそれぞれの使用頻度を比較部１４へ渡す。
【００２６】
比較部１４は、渡されたパターンの使用頻度を集計し、最も使用頻度の高い設定パターンの使用比率が所定の比率に到達したか否かを判断する（ステップＳ１４）。所定の比率としては、例えば、過半数と決定することができる。最も使用頻度の高い設定パターンの使用比率が所定の比率に到達していない場合には（ステップＳ１４、ＮＯ）、ステップＳ１２に戻り、設定入力を継続する。
【００２７】
一方、最も使用頻度の高い設定パターンの使用比率が所定の比率に到達した場合には（ステップＳ１４ＹＥＳ）、まだ入力されていない残りの設定項目を、所定の比率を満たした設定パターンで自動設定する（ステップＳ１５）。自動設定後、この自動設定した内容をユーザに確認する（ステップＳ１６）。なお、設定検索部１３が検索した設定パターンが１つである場合には、ステップＳ１４は省略され、当該検索された設定パターンで自動設定される。
【００２８】
自動設定した内容をユーザが承諾しなかった場合（ステップＳ１６、ＮＯ）は、再び設定入力（ステップＳ１２）へと戻り、残りの設定入力を継続する。ユーザが自動設定された内容を承諾した場合（ステップＳ１６、ＹＥＳ）は、設定記憶部１５から設定サーバ２へその内容が送信され、設定パターンのフィードバックがなされる（ステップＳ１７）。
【００２９】
例えば、入力部１２から入力され、設定された設定パターンが設定データベース２１に記憶されていない場合には、当該設定パターンが設定データベース２１に追加される。又は、自動設定された設定パターンの使用頻度が更新される。
【００３０】
ここで、図５を参照して、上述の電子機器の設定方法を具体的に説明する。図５は、本実施の形態に係る電子機器の設定方法を説明するための図である。図５に示すように、携帯端末とサーバとの間で設定パターンのやり取りを行っている例である。
【００３１】
この例では、入力部１２から「132」と設定が入力されている。これにより、設定データベース２１の「132」で始まる設定パターンが抽出される。図５に示す例では、「132341234321… :10」と「132221234321… : 3」の二つのパターンが選択される。これらの２つの設定パターンの使用された回数は、それぞれ「10」と「3」である。従って、最も使用頻度の高い設定パターンは「132341234321… :10」であり、その使用比率は10/13である。
【００３２】
なお、ここでは、所定の比率として過半数と設定されているものとする。本例での最も使用頻度の高い設定パターンの使用比率は、所定の比率である過半数を超えているため、前者の「132341234321… :10」のパターンが自動設定として使用される。
【００３３】
これにより、「132」以降の設定項目は、「132341234321…」と設定される。この設定内容をユーザが承諾すればフィードバックされて、設定パターンの使用回数が「11」に更新される。
【００３４】
なお、設定順は、必ずしも最初から設定しなければならないというものではない。例えば、最初の２項目が未入力で、３項目からの「334」で絞込みを行ってもよい。この場合は、「213341234322… : 5」だけが該当するので、これが自動設定される。
【００３５】
このとき、自動設定内容を承諾しなかった場合は、自動設定は初期設定として利用され、残りの未入力の項目の入力を継続する。その結果、最終的に「213341214312…」となった場合、その結果がフィードバックされ、サーバの設定データベースに新しい項目として追加される。
【００３６】
図６に、図３に示す状態から、新しい項目が追加された状態の例を示す。図６に示すように、ここでは、１１番目の設定パターンとして「213341214312…」が追加されている。また、当該設定パターンの使用頻度は「1」となる。
【００３７】
また、設定の入力は連続した項目ではなく、飛び飛びの項目であってもよい。２番目、８番目、５番目の設定項目に「1,3,4」が入力された場合、図３に示す例では、「213341234322… : 5」「213341234322… : 1」「311341232321… : 1」の３つが該当する。このように、入力順番は順不同であって構わない。
【００３８】
以上説明したように、本発明によれば、多数の設定項目を有する電子機器の設定を行う際に、ユーザが途中まで入力した設定を利用して設定データベースを検索し、残りの項目を自動設定することで、多数の項目を設定する場合の効率化を図り、設定作業を省力化することが可能となる。
【００３９】
実施の形態２．
本発明の実施の形態２に係る電子機器の機能設定システムについて図７を参照して説明する。図７は、本実施の形態に係る電子機器の機能設定システムの構成を示すブロック図である。図７に示すように、本実施の形態では、図１に示す機能設定システムに設定サーバ３を追加したものである。設定サーバ３としては、設定サーバ２と同様なものを用いることができる。
【００４０】
本実施の形態のように設定サーバは複数台になっても、基本的な動作は、設定サーバが１台設けられた場合と変わらない。設定サーバが複数台になると一部の設定項目は設定サーバ２から、残りの設定項目は設定サーバ３から取得することが可能となる。これにより、一般的な設定は設定サーバ２から、例えば社内用の設定は設定サーバ３からというような複数の設定パターンの組み合わせ利用が可能となる。
【００４１】
実施の形態３．
本発明の実施の形態３に係る電子機器の機能設定システムについて図８を参照して説明する。図８は、本実施の形態に係る弟子機器の機能設定システムの構成を示すブロ屑である。図８に示すように、本実施の形態では、図１に示す機能設定システムに端末装置４、端末装置５を追加したものである。なお、端末装置４、端末装置５は、端末装置１と同様な構成のものを用いることができる。
【００４２】
図６に示すように、設定サーバ２に接続する端末装置が複数台になっても、基本的な動作は、端末装置が１台の場合と変わらない。例えば、端末装置１、端末装置４、端末装置５のいずれかで設定パターンが更新されると、設定データベース２１が更新される。これにより、同様の設定をする端末が複数台あるような企業内ＰＣの設定を行う場合でも、設定作業の省力化を図ることができる。
【００４３】
このように、本発明によれば、変更可能な設定項目を持つ電子機器、特に携帯電話やPDAなどの携帯端末において、すべての項目を設定しなくても、ユーザの設定傾向に応じた設定が自動的になされる。これにより、設定作業の省力化を図ることができる。
【００４４】
また、本発明では、新機能が追加されたといった設定項目が増えた場合に、設定データベース２１に新たな設定パターンを追加することができる。これにより、新規項目であっても、更新されたサーバの設定パターンを端末装置に適用することで、それまでの項目と同様に、入力された設定パターンと新たに追加された設定パターンとの一致度により設定を行うことが可能となる。なお、本発明は上記実施の形態に限られたものではなく、趣旨を逸脱しない範囲で適宜変更することが可能である。
【符号の説明】
【００４５】
１  端末装置
２  設定サーバ
３  設定サーバ
４  端末装置
５  端末装置
１１  制御部
１２  入力部
１３  設定検索部
１４  比較部
１５  設定記憶部
２１  設定データベース
【図１】
2010198395.tif 000003
【図２】
2010198395.tif 000004
【図３】
2010198395.tif 000005
【図４】
2010198395.tif 000006
【図５】
2010198395.tif 000007
【図６】
2010198395.tif 000008
【図７】
2010198395.tif 000009
【図８】
2010198395.tif 000010